(57)【要約】【課題】  回路規模が大きくなることを回避しつつ、周波数誤差を正確に検出することを可能にする。【解決手段】  ＯＦＤＭ信号を受信し、そのキャリア周波数と局所発振周波数との周波数誤差を検出する周波数誤差検出回路に、複素平面をその原点を中心に放射状に分割した領域のうちの１の領域に属する複素数の偏角と該偏角の正接の値とが記憶された記憶部と、上記ＯＦＤＭ信号の所定部分を上記局所発振周波数で１つのシンボルに対応する時間だけ遅延させて得られる信号の複素共役と該所定部分とを複素乗算して得られる複素数が前記１の領域に属している場合には、該複素数の偏角を前記記憶部の記憶内容に基づいて特定する一方、該複素数が他の領域に属している場合には、該他の領域に対して予め定められた角度を該複素数の偏角として特定し、その特定結果に基づいて上記周波数誤差を算出する算出部とを設ける。【選択図】      図１
2005229281.tif 000002
【特許請求の範囲】
【請求項１】
複素平面をその原点を中心に放射状に分割した領域のうちの１の領域に属する複素数の
偏角に対応する正接値、または該偏角に対応する正弦値と余弦値との何れかに対応付けて
該偏角が記憶された記憶部と、
ＯＦＤＭ信号が受信された場合に、該ＯＦＤＭ信号のキャリア周波数が所定の周波数で
ある場合において１つのシンボルに対応した部分の持続時間だけ該ＯＦＤＭ信号の所定部
分を遅延させて得られる信号の複素共役と、該所定部分とを複素乗算して得られる入力信
号が入力される入力部と、
前記入力部に入力される入力信号に対応する複素数が前記１の領域に属しているか否か
を該複素数の実部の絶対値および虚部の絶対値と該実部の符号および該虚部の符号とに基
づいて判定する判定部と、
前記入力信号に対応する複素数が前記１の領域に属していると前記判定部により判定さ
れた場合には、該複素数の偏角を前記記憶部の記憶内容に基づいて特定する一方、該複素
数が他の領域に属していると前記判定部により判定された場合には、該他の領域に属する
複素数であって、予め定められた複素数の偏角を前記入力信号に対応する複素数の偏角と
して特定する特定部と、
前記ＯＦＤＭ信号のキャリア周波数と前記所定の周波数との差である周波数誤差を前記
特定部により特定された偏角に基づいて算出する算出部と
を有する周波数誤差検出回路。
【請求項２】
前記特定部は、前記入力信号に対応する複素数の複素共役が前記１の領域に属している
場合には、前記記憶部の記憶内容に基づいて特定された角度を符号反転して得られる角度
を該複素数の偏角として特定する
ことを特徴とする請求項１に記載の周波数誤差検出回路。
【請求項３】
前記記憶部に記憶されている偏角は、前記所定の周波数で規格化されている
ことを特徴とする請求項１に記載の周波数誤差検出回路。
【請求項４】
複素平面をその原点を中心に放射状に分割した領域のうちの１の領域に属する複素数の
偏角に対応する正接値、または該偏角に対応する正弦値と余弦値との何れかに対応付けて
該偏角が記憶された記憶部を有する周波数誤差検出回路に、受信されたＯＦＤＭ信号のキ
ャリア周波数が所定の周波数である場合において１つのシンボルに対応した部分の持続時
間だけ該ＯＦＤＭ信号の所定部分を遅延させて得られる信号の複素共役と、該所定部分と
を複素乗算して得られる入力信号が入力される第１のステップと、
前記第１のステップにて入力された入力信号に対応する複素数が前記１の領域に属して
いるか否かを該複素数の実部の絶対値および虚部の絶対値と該実部の符号および該虚部の
符号とに基づいて判定する第２のステップと、
前記入力信号に対応する複素数が前記１の領域に属していると前記第２のステップにて
判定された場合には、該複素数の偏角を前記記憶部の記憶内容に基づいて特定する一方、
該複素数が他の領域に属していると前記第２のステップにて判定された場合には、該他の
領域に属する複素数であって、予め定められた複素数の偏角を前記入力信号に対応する複
素数の偏角として特定する第３のステップと、
前記ＯＦＤＭ信号のキャリア周波数と前記所定の周波数との差である周波数誤差を前記
第３のステップにて特定された偏角に基づいて検出する第４のステップと
を順次行うことを特徴とする周波数誤差検出方法。
【発明の詳細な説明】
【技術分野】
【０００１】
本発明は、ＯＦＤＭ方式のデータ伝送でキャリアの周波数誤差を検出する技術に関する
。
【背景技術】
【０００２】
近年、携帯電話機等の移動通信端末向けのデジタル音声放送や、地上デジタルテレビ放
送において、直交周波数分割多重（Orthogonal Frequency Division Multiplex：以下、
ＯＦＤＭ）方式のデータ伝送が注目されている。ＯＦＤＭ方式のデータ伝送では、互いに
直交する複数の搬送波（以下、サブキャリア）を伝送するデータで変調し、それら変調波
を多重化して伝送することで、そのデータの伝送が行われる。このため、サブキャリアの
数が数百〜数千と多くなると、各変調波のシンボル周期が極めて長くなり、マルチパス干
渉の影響を受け難くなるといった特徴がある。
【０００３】
図６は、ＯＦＤＭ信号のフレームフォーマットの一例を示す図である。図６に示されて
いるように、ＯＦＤＭ信号には、プリアンブル部とペイロード部とが含まれている。プリ
アンブル部には、ＯＦＤＭ信号を受信する受信装置に局所発振周波数をそのＯＦＤＭ信号
のキャリア周波数に一致させ同期させるためのトレーニングシンボルが含まれており、ペ
イロード部には、上記データに対応するシンボルが含まれている。より詳細に説明すると
、プリアンブル部には、０．８μｓ周期で同じ信号が１０回繰り返されるショートトレー
ニングシンボル（図６：ｔ１〜ｔ１０、ただし、ｔ１＝ｔ２…＝ｔ１０）と、３．２μｓ
周期で同じ信号（図６：Ｔ１およびＴ２、ただし、Ｔ１＝Ｔ２）が２回繰り返されるロン
グトレーニングシンボルが含まれている。このように、フレームの先頭で同一信号が繰り
返されていることを利用して、局所発振周波数とキャリア周波数との差（以下、周波数誤
差）を検出し、その周波数誤差を補正することができる。
【０００４】
具体的には、上記プリアンブル部に対応する信号Ｐ（ｔ）と、キャリア周波数が基準と
なる所定の周波数（受信装置の局所発振周波数ｆ0）である場合にそのキャリアのうち１
シンボル分の変調が行われる部分の持続時間ＴだけこのＰ（ｔ）を遅延させて得られる信
号との複素共役Ｐ*（ｔ−Ｔ）とを複素乗算して得られる複素数Ｐ（ｔ）Ｐ*（ｔ−Ｔ）と
上記周波数誤差Δｆとの間には、以下の数１に示す関係があることが知られている。なお
、受信装置の局所発振周波数ｆ0と上記Ｔとの間には、以下の数２に示す関係がある。
【０００５】
（数１）  Δｆ＝（１／２πＴ）×arctan（Ｐ（ｔ）Ｐ*（ｔ−Ｔ））
（数２）  ｆ0＝１／Ｔ
【０００６】
したがって、数１の右辺の逆正接値（arctan（Ｐ（ｔ）Ｐ*（ｔ−Ｔ））、すなわち、
複素数Ｐ（ｔ）Ｐ*（ｔ−Ｔ）の偏角）を求めることができれば上記周波数誤差を検出す
ることができるが、複素数の実部と虚部とから上記逆正接値を算出することを論理回路で
実現することは困難である。このため、−π〜πの範囲で複素数の偏角とその正接値（す
なわち、その複素数の実部と虚部との比）とを対応付けて格納したルックアップテーブル
を用いて上記偏角を求めることが一般的に行われている。
【０００７】
しかしながら、このようなルックアップテーブルをＲＯＭ（Read Only Memory）などに
格納し周波数誤差を検出するための回路に含ませてしまうと、その回路規模が大きくなっ
てしまうといった問題点がある。このような問題点を解決する技術としては、特許文献１
に開示された技術が挙げられる。特許文献１に開示された技術では、上記ルックアップテ
ーブルを用いずに、数１の逆正値の計算を論理回路で実現可能な近似計算に置き換えて行
う技術が開示されている。
【特許文献１】特開２００１−２８５２４６号公報
【発明の開示】
【発明が解決しようとする課題】
【０００８】
しかしながら、特許文献１に開示された技術では、上記逆正接値（すなわち、複素数Ｐ
（ｔ）Ｐ*（ｔ−Ｔ）の偏角）を近似計算で求めているため、その正確な値を求めること
ができず、周波数誤差を正確に検出することができないといった問題点があった。
本発明は、上記課題に鑑みて為されたものであり、回路規模が大きくなることを回避し
つつ、周波数誤差を正確に検出することを可能にする技術を提供することを目的としてい
る。
【課題を解決するための手段】
【０００９】
上記課題を解決するために、本発明は、複素平面をその原点を中心に放射状に分割した
領域のうちの１の領域に属する複素数の偏角に対応する正接値、または該偏角に対応する
正弦値と余弦値との何れかに対応付けて該偏角が記憶された記憶部と、ＯＦＤＭ信号が受
信された場合に、該ＯＦＤＭ信号のキャリア周波数が所定の周波数である場合において１
つのシンボルに対応した部分の持続時間だけ該ＯＦＤＭ信号の所定部分を遅延させて得ら
れる信号の複素共役と、該所定部分とを複素乗算して得られる入力信号が入力される入力
部と、前記入力部に入力される入力信号に対応する複素数が前記１の領域に属しているか
否かを該複素数の実部の絶対値および虚部の絶対値と該実部の符号および該虚部の符号と
に基づいて判定する判定部と、前記入力信号に対応する複素数が前記１の領域に属してい
ると前記判定部により判定された場合には、該複素数の偏角を前記記憶部の記憶内容に基
づいて特定する一方、該複素数が他の領域に属していると前記判定部により判定された場
合には、該他の領域に属する複素数であって、予め定められた複素数の偏角を前記入力信
号に対応する複素数の偏角として特定する特定部と、前記ＯＦＤＭ信号のキャリア周波数
と前記所定の周波数との差である周波数誤差を前記特定部により特定された偏角に基づい
て算出する算出部とを有する周波数誤差検出回路を提供する。
【００１０】
また、本発明の別の態様にあっては、複素平面をその原点を中心に放射状に分割した領
域のうちの１の領域に属する複素数の偏角に対応する正接値、または該偏角に対応する正
弦値と余弦値との何れかに対応付けて該偏角が記憶された記憶部を有する周波数誤差検出
回路に、受信されたＯＦＤＭ信号のキャリア周波数が所定の周波数である場合において１
つのシンボルに対応した部分の持続時間だけ該ＯＦＤＭ信号の所定部分を遅延させて得ら
れる信号の複素共役と、該所定部分とを複素乗算して得られる入力信号が入力される第１
のステップと、前記第１のステップにて入力された入力信号に対応する複素数が前記１の
領域に属しているか否かを該複素数の実部の絶対値および虚部の絶対値と該実部の符号お
よび該虚部の符号とに基づいて判定する第２のステップと、前記入力信号に対応する複素
数が前記１の領域に属していると前記第２のステップにて判定された場合には、該複素数
の偏角を前記記憶部の記憶内容に基づいて特定する一方、該複素数が他の領域に属してい
ると前記第２のステップにて判定された場合には、該他の領域に属する複素数であって、
予め定められた複素数の偏角を前記入力信号に対応する複素数の偏角として特定する第３
のステップと、前記ＯＦＤＭ信号のキャリア周波数と前記所定の周波数との差である周波
数誤差を前記第３のステップにて特定された偏角に基づいて検出する第４のステップとを
順次行うことを特徴とする周波数誤差検出方法を提供する。
【００１１】
このような周波数誤差検出回路および周波数誤差検出方法によれば、上記入力信号に対
応する複素数が上記１の領域に属する場合には、上記記憶部の記憶内容に基づいて周波数
誤差が特定され、その他の領域内の属する場合には、該他の領域に対して予め定められた
偏角に基づいて周波数誤差が特定される。上記記憶部に記憶されている偏角の範囲は、複
素平面全体に対応する範囲（すなわち、−π〜π）よりも狭く、記憶部の記憶容量を削減
し回路規模を小さくすることが可能になる。また、上記入力信号に対応する複素数が上記
１の領域に属する場合には、上記記憶部の記憶内容に基づいて周波数誤差が検出されるた
め、近似計算で周波数誤差を算出する場合に比較してその周波数誤差を正確に検出するこ
とが可能になるといった効果を奏する。また、上記入力信号に対応する複素数が上記１の
領域とは異なる他の領域に属する場合には、該他の領域に対して予め定められた角度が上
記複素数の偏角として特定されるが、このようにして特定された偏角に基づいて周波数誤
差を補正することを繰り返すようにすれば、その補正後の入力信号に対応する複素数は上
記１の領域に属することになり、周波数誤差が正確に検出されることになる。
【００１２】
より好ましい態様においては、上記入力信号に対応する複素数の複素共役が上記１の領
域に属する場合には、上記記憶部の格納内容に基づいて特定される偏角を符号反転して該
複素数の偏角が特定されることを特徴とする周波数誤差検出回路を提供する。このような
態様によれば、上記入力信号に対応する複素数が上記１の領域に属しない場合であっても
、その複素共役が上記１の領域に属する場合には、該複素数の偏角を上記記憶部の記憶内
容に基づいて正確に特定し、周波数誤差を正確に検出することが可能になるといった効果
を奏する。
【００１３】
より好ましい態様においては、上記記憶部に記憶されている偏角の値は、受信装置の局
所発振周波数で規格化されていることを特徴とする周波数誤差検出回路を提供する。この
ようにして規格化をしておくことによって、上記入力信号に対応する複素数が上記所定の
領域内であれば、記憶部の格納内容を参照することで周波数誤差を直接検出することがで
き、前述した数１の演算を省略することが可能になるといった効果を奏する。
【発明を実施するための最良の形態】
【００１４】
以下、本発明を実施するための最良の形態について図面を参照しつつ説明する。
［Ａ．構成］
図１は、本発明の１実施形態に係る受信装置の構成例を示すブロック図である。図１に
示す受信装置では、チューナ（図示省略）によって受信され、直交復調器（図示省略）お
よびＡＤ変換器（図示省略）を順に通過してきた信号Ｐ（ｔ）は、周波数誤差補正器１０
へ入力される。この周波数誤差補正器１０は、後述する周波数誤差検出器２０によって検
出された周波数誤差Δｆ分だけ上記信号Ｐ（ｔ）のキャリア周波数を補正し、図１に示す
ように２分配して出力するものである。周波数誤差補正器１０によって２分配されて出力
された信号Ｐ（ｔ）のうち、一方は図示せぬ復調器へ入力され、他方は周波数誤差検出器
２０へ入力される。なお、詳細な図示は省略したが、上記信号Ｐ（ｔ）には、同相検波軸
信号（以下、Ｉ信号）と直交検波軸信号（以下、Ｑ信号）とが含まれている。
【００１５】
周波数誤差検出器２０へ入力された信号Ｐ（ｔ）は、更に２分配され、一方は、そのま
ま乗算回路２１０へ入力され、他方は遅延回路２２０へ入力される。遅延回路２２０は、
入力された信号Ｐ（ｔ）を所定の周波数（本実施形態では、受信装置の局所発振周波数ｆ
0）で１つのシンボルに相当する時間（以下、シンボル期間）Ｔだけ遅延させて遅延信号
Ｐ（ｔ−Ｔ）を生成しその遅延信号Ｐ（ｔ−Ｔ）を複素共役回路２３０へ出力する。複素
共役回路２３０は、遅延回路２２０から入力された遅延信号Ｐ（ｔ−Ｔ）に含まれている
Ｑ信号を複素平面上で反転させて複素共役信号Ｐ*（ｔ−Ｔ）を生成し乗算回路２１０へ
出力する。乗算回路２１０は、入力された信号Ｐ（ｔ）と複素共役回路２３０から入力さ
れた複素共役信号Ｐ*（ｔ−Ｔ）とを複素乗算し、その乗算結果（すなわち、Ｐ（ｔ）Ｐ*
（ｔ−Ｔ））を入力信号として周波数誤差検出回路２４０へ出力する。
【００１６】
図２は、周波数誤差検出回路２４０の構成例を示すブロック図である。図２に示されて
いるように、この周波数誤差検出回路２４０は、入力端子２４０ａと、周波数誤差特定部
２４０ｂと、記憶部２４０ｃとを有している。入力端子２４０ａは、前述した乗算回路２
１０から受け取った入力信号Ｐ（ｔ）Ｐ*（ｔ−Ｔ）を周波数誤差特定部２４０ｂへ引渡
す入力部として機能するものである。周波数誤差特定部２４０ｂは、詳細は後述するが、
入力端子２４０ａから引渡された入力信号Ｐ（ｔ）Ｐ*（ｔ−Ｔ）のＩ信号およびＱ信号
に基づいて、その入力信号に対応する複素数が複素平面を図３に示すように８等分した領
域の何れに属しているかを判定し、その判定結果に基づいて周波数誤差を特定するもので
ある。記憶部２４０ｃは、例えばＲＯＭであり、図４に示すルックアップテーブルを格納
している。図４に示すように、このルックアップテーブルには、図３に示すＡ領域に含ま
れる複素数の実部と虚部とに基づいて算出される値（本実施形態では、その複素数の偏角
の正接値、すなわち、虚部／実部）に対応付けてその複素数の偏角θ（０≦θ≦π／４）
が格納されている。このように図４に示すルックアップテーブルに格納されている偏角θ
の範囲は０〜π／４の範囲であるため、―π〜πの範囲に対応する従来のルックアップテ
ーブルに比較してデータサイズが小さく、従来よりも回路規模が小さいＲＯＭに格納させ
ることが可能になる。これにより、本実施形態に係る周波数誤差検出回路によれば、−π
〜πの範囲に対応するルックアップテーブルを有する従来の周波数誤差検出回路に比較し
て、その回路規模が小さくなる。なお、本実施形態では、Ａ領域に含まれる複素数の偏角
に対応付けてその偏角の正接値をルックアップテーブルに格納しておく場合について説明
したが、複素数の大きさで規格化された実部（すなわち、その偏角に対応する余弦値）お
よび複素数の大きさで規格化された虚部（すなわち、その偏角に対応する正弦値）の組を
その複素数の偏角に対応付けておくとしても勿論良い。
【００１７】
［Ｂ．動作］
次いで、周波数誤差特定部２４０ｂが行う周波数誤差特定動作について説明する。図５
は、周波数誤差特定部２４０ｂが行う周波数誤差特定動作の流れを示すフローチャートで
ある。図５に示されているように、周波数誤差特定部２４０ｂは、入力端子２４０ａから
上記入力信号Ｐ（ｔ）Ｐ*（ｔ−Ｔ）を引渡されると（ステップＳＡ１）、その入力信号
に対応する複素数が図３に示す８つの領域の何れに属するか、をその入力信号のＩ信号お
よびＱ信号に基づいて判定する（ステップＳＡ２）。具体的には、周波数誤差特定部２４
０ｂは、上記Ｉ信号の絶対値（以下、｜Ｉ｜と表記する）および上記Ｑ信号の絶対値（以
下、｜Ｑ｜と表記する）と、Ｉ信号の符号およびＱ信号の符号とに基づいて、その入力信
号に対応する複素数が上記８つの領域（図３参照）の何れに属するか、を以下の表１に示
すように判定する。
【００１８】
【表１】
2005229281.tif 000003
【００１９】
そして、周波数誤差特定部２４０ｂは、ステップＳＡ２の特定結果に基づいて上記入力
信号Ｐ（ｔ）Ｐ*（ｔ−Ｔ）に対応する複素数の偏角θを上記表１に示すように特定し（
ステップＳＡ３）、その偏角θを前述した数１の右辺に代入して周波数誤差Δｆを算出す
る（ステップＳＡ４）。なお、本実施形態では、記憶部２４０ｃに格納されているルック
アップテーブルに対応する領域（すなわち、Ａ領域）および実軸に対してその領域と線対
称な領域（すなわち、Ｈ領域）以外の領域については、各領域毎にその領域に対応する偏
角の範囲の中央値を対応付けておく場合について説明したが、各領域に予め対応付けてお
く角度は上記中央値に限定されるものではない。要は、各領域に対応する偏角の範囲内の
角度であれば何れであっても良い。
【００２０】
例えば、上記入力信号Ｐ（ｔ）Ｐ*（ｔ−Ｔ）に対応する複素数がＡ領域（図３参照）
に属している場合には、周波数誤差特定部２４０ｂは、上記ルックアップテーブルの格納
内容を参照して偏角を特定し、Ｈ領域に含まれている場合には、ルックアップテーブルの
格納内容を参照して特定された偏角を符号反転して偏角を特定する。このように、入力信
号Ｐ（ｔ）Ｐ*（ｔ−Ｔ）に対応する複素数が図３に示すＡ領域又はＨ領域に属する場合
には、周波数誤差特定部２４０ｂは、上記ルックアップテーブルの格納内容に基づいてそ
の偏角を特定するので、近似計算により上記偏角を算出する場合に比較して周波数誤差Δ
ｆを正確に検出することが可能になる。
【００２１】
また、上記複素数の図３に示すＢ、Ｃ、Ｄ、Ｅ、ＦおよびＧ領域の何れかに属している
場合には、周波数誤差特定部２４０ｂは、その複素数の偏角として、その複素数が属する
領域に対して予め定められた角度（上記表１参照）を特定し、その偏角を数１の右辺に代
入して周波数誤差Δｆを算出する。係る場合には１回の周波数誤差特定動作で周波数誤差
が正確に検出されるとは限らないが、上記周波数誤差特定動作により検出された周波数誤
差分だけ信号Ｐ（ｔ）のキャリア周波数を周波数誤差補正器１０に補正させた後に、上述
した周波数誤差特定動作を繰り返し行うことで、その周波数誤差を正確に検出し補正する
ことが可能になる。例えば、上記入力信号に対応する複素数の偏角がπ／３である場合（
すなわち、Ｂ領域に属している場合）には、上記周波数誤差検出回路によってその周波数
誤差に対応する偏角として３π／８が特定され、その特定結果を数１の右辺に代入した値
が周波数誤差として検出される。このようにして検出された周波数誤差が前述した周波数
誤差補正器１０によって補正されると、補正後の入力信号に対応する複素数の偏角はπ／
３−３π／８＝−π／２４になる。このように補正後の入力信号に対応する複素数は上記
Ｈ領域に属するものであるから、２回目の周波数誤差の検出では、上記ルックアップテー
ブルの格納内容に基づいてその周波数誤差が正確に検出され補正されることになる。この
ように、本実施形態に係る周波数誤差検出回路によれば、回路規模の拡大を回避しつつ、
周波数誤差を正確に検出することが可能になるといった効果を奏する。
【００２２】
［Ｃ．変形］
以上、本発明の実施形態について説明したが、係る実施形態に以下に述べるような変形
を加えても良いことは勿論である。
【００２３】
（Ｃ−１：変形例１）
上述した実施形態では、複素平面上の特定の領域（上記実施形態では、Ａ領域）に属す
る複素数の偏角に対応付けてその偏角の正接値をルックアップテーブルに格納させておく
場合について説明したが、上記正接値にその正接値に対応する偏角を受信装置の局所発振
周波数で規格化した値（すなわち、ｆ0／２πを乗算した値）を格納しておくとしても勿
論良い。このようにすると、ルックアップテーブルの格納内容を参照して周波数誤差Δｆ
を直接求めることが可能になり、係る周波数誤差を算出する際の処理速度が速くなるとい
った効果を奏する。
【００２４】
（Ｃ−２：変形例２）
上述した実施形態では、ＯＦＤＭ信号のプリアンブル部に含まれるトレーニングシンボ
ルを用いて周波数誤差を検出する場合について説明したが、ペイロード部を用いて周波数
誤差を検出することも可能である。ＯＦＤＭ方式では、シンボル間の干渉を防ぐために、
伝送するシンボルの一部（例えば、後半１／４）がガードインターバルとしてそのシンボ
ルの前に付与してペイロード部に書き込まれている。つまり、このガードインターバルに
対応する信号の波形はそのガードインターバルに後続するシンボルの信号の波形の一部と
一致するものである。これを利用して、ＯＦＤＭ信号に重畳されているデータ毎に周波数
誤差を補正することが可能である。このように、同一の信号が含まれている所定部分であ
れば、プリアンブル部とペイロード部の何れを用いても周波数誤差を検出することが可能
である。
【００２５】
（Ｃ−３：変形例３）
上述した実施形態では、０〜π／４の角度範囲に対応するルックアップテーブルをＲＯ
Ｍに格納させておく場合について説明したが、ルックアップテーブルに格納させておく角
度の範囲は係る範囲に限定されるものではない。例えば、−π／４〜０の角度範囲（すな
わち、図３のＨ領域に対応する範囲）であっても良く、また、Ｂ領域やＣ領域などに対応
する範囲であっても良い。また、０〜π／２に対応する範囲（すなわち、Ａ領域とＢ領域
とに対応する範囲）であっても良い。要は、複素平面をその原点を中心に放射状に分割し
た領域のうちの１つに対応する範囲（すなわち、−π〜πの角度範囲）に対応するルック
アップテーブルであればいずれであっても良い。ただし、本発明を実施するにあたり、ル
ックアップテーブルに格納させておく角度範囲のうちで、最も好適な範囲は前述した０〜
π／４の範囲である。その理由は、例えば０〜π／２の範囲に対応するルックアップテー
ブルをＲＯＭに格納させておく場合には、π／２近傍で正接値が無限大に発散するため、
その近傍での偏角を正確に特定することが困難になってしまうからである。
【図面の簡単な説明】
【００２６】
【図１】本発明に係る周波数誤差検出回路を有する受信装置の構成例を示すブロック図である。
【図２】同周波数誤差検出回路の構成例を示すブロック図である。
【図３】同周波数誤差検出回路に入力される入力信号とその入力信号に対して特定される偏角との関係を示す図である。
【図４】同記憶部に格納されているルックアップテーブルの一例を示す図である。
【図５】同周波数誤差特定部が行う周波数誤差特定動作の流れを示すフローチャートである。
【図６】ＯＦＤＭ信号のフレームフォーマットの一例を示す図である。
【符号の説明】
【００２７】
１０…周波数誤差補正器、２０…周波数誤差検出器、２１０…乗算回路、２２０…遅延回
路、２３０…複素共役回路、２４０…周波数誤差検出回路、２４０ａ…入力端子、２４０
ｂ…周波数誤差特定部、２４０ｃ…記憶部。
【図１】
2005229281.tif 000004
【図２】
2005229281.tif 000005
【図３】
2005229281.tif 000006
【図４】
2005229281.tif 000007
【図５】
2005229281.tif 000008
【図６】
2005229281.tif 000009